Podtech/llm-jp-corpus-v4-ja_patent huggingface dataset:
(57)【要約】【課題】  アワビ等の、大量生産技術を確立する事にある。【解決手段】、養殖容器盤は、大波側面に、浪面１を設け、面の剛性を図り、山波部両端２を高く、溝波部両端３を、低く設定し、山波部両端は、窓５付側壁とし、直角部は、角を切り放した形とし、帯壁６、窓７、溝孔８を設ける、長方形の孔９は、排出孔となり、アワビの移動孔、餌の流入孔となる。中央部に、トンネル状の空間が出来、移動空間となる。山、溝、山間をＨ字状１１に成るよう、帯壁、窓を設け、八の字状の開口部となり、海藻が流入、周囲は餌場となる。溝底部両端、側面底部に半角面１２と垂直面１３を有した棒体を、半円部１４で、盤と一体化、Ｔ字状結束連結体とする。水平盤半角面に、立てた盤の、半角面を合わせ、各カ所に、輪切りパイプを嵌込み固定すれば、箱型状となり、イケスに設置すれば、餌投入が出来る、養殖容器となる。【選択図】図１
2008259485.tif 000002
【特許請求の範囲】
【請求項１】
大波面に、浪面を設け、山波部両端を高く、溝波部両端を低く、中央山部間を、Ｈ字状に成るよう、帯壁、窓を設けた、養殖容器盤。
【請求項２】
溝底部両端、側面底部に、半角面と、垂直面を有した棒体を、半円部で、盤と一体化、Ｔ字状結束連結体とした、養殖容器盤。
【発明の詳細な説明】
【０００１】  本発明は、アワビ、ウニ等の、大量生産技術を確立する事にある。
【０００２】  従来は、コンテナ箱等で、養殖していたが、餌供給が難易で、大量生産が困難であった。
【０００３】  図について、説明すれば、
養殖容器盤は、金網イケス等に設置するもので、複数の、山波部、溝波部を有し、大波側面に、浪面１を設け、面の剛性を図り、アワビ等の、剥離作業の簡易化を図る。
山波部両端２を高く、溝波部両端３を低く、中央に空間が出来るよう設定し、接合孔４を設ける。山波部両端は、窓５付側壁とし、山波直角部両端は、角部を切り放した形とし、中央に帯壁６を設け、両側に窓７、中央底面に、溝孔８を設け、アワビの盤間移動を図り、潮流流入増大を図る。頂点部、溝底部の長方形の孔９は、波浪時の衝撃を和らげ、排出物の、排出孔となり、山部面、溝部面どうしを、積み重ねた時の、アワビ等の、盤間、上下移動孔となり、餌となる、ワカメ等海藻の流入孔となる。
側面、連結体間に、開口部１０を設け、潮流流入を図る。
積み重ね時に、中央部に、トンネル状の空間が、中央上部間、中央底部間に出来、潮流が流れ、酸素を供給、餌場となり、山、溝間の、横移動空間となる。
山、溝、山間をＨ字状１１に成るよう、帯壁、窓を設け、積み重ね時は、八の字状の開口部となり、海藻の流入、排出拡散が図れ、周囲は、餌場となる。
側面窓１２は、側面からの、潮流流入を補完するもので、アワビ等に、窓が塞がらない大きさとする。溝底部両端、側面底部に、半角面１３と、垂直面１４を有した棒体を、半円部１５で、盤と一体化、Ｔ字状結束連結体とし、複数枚を、平面状に並べ、１０図の様に、垂直面を合わせ、棒体に、輪切りパイプ１６を嵌込み、ロープ等で連結すれば、盤間が、十文字状の空間となり、山波側壁は、アワビの盤間移動面となる。水平盤半角面に、垂直に立てた盤の、半角面を合わせ、輪切りパイプを嵌込み、各カ所を固定すれば、箱型状となり、棒体、パイプ間にできた孔に、ロープ１７等を通し、全体を固定すれば、全体が一体化、波浪時の衝撃に耐えられ、袋網に入れれば、海藻を大量に入れられ、アワビ等の着生場所が大きい、餌の散逸が少ない、餌場が、広範囲に広がり、酸欠が少ない、大量生産に適した、養殖容器となる。
【０００４】  網、金網イケスに、同一養殖容器盤を、積み重ね型、複数枚積み重ね型、箱型、それぞれを組み合せた型等を、設置すれば、アワビ等着生面が増大、船上からの、餌投入で済む、大量生産に適した、養殖容器となる、
【図面の簡単な説明】
【図１】養殖容器盤の、実施例を示す、平面図である。
【図２】養殖容器盤の、実施例を示す、斜視図である。
【図３】養殖容器盤の  実施例を示す、側面図と、盤を重ねた構成図である。
【図４】養殖容器盤の、実施例を示す、山部面側面図と、盤を重ねた、構成図である。
【図５】養殖容器盤の、実施例を示す、中央断面図と、盤を重ねた。構成図である。
【図６】養殖容器盤の、実施例を示す、山部面中央断面図と、盤を重ねた、構成図である。
【図７】養殖容器盤を、四枚連結した、実施例を示す、平面構成図である。
【図８】養殖容器盤の、実施例を示す、箱型に組立た、平面構成図である。
【図９】養殖容器盤の、実施例を示す、箱型に組立た、側面構成図である。
【図１０】養殖容器盤の、実施例を示す、連結部の、断面構成図である。
【図１】
2008259485.tif 000003
【図２】
2008259485.tif 000004
【図３】
2008259485.tif 000005
【図４】
2008259485.tif 000006
【図５】
2008259485.tif 000007
【図６】
2008259485.tif 000008
【図７】
2008259485.tif 000009
【図８】
2008259485.tif 000010
【図９】
2008259485.tif 000011
【図１０】
2008259485.tif 000012
(57)【要約】【課題】投げ釣りで遠投し、仕掛けを巻き上げる際、海底の根（海藻や岩）に引っかかり、釣り針が折れたりおもりや仕掛けが切れてしまうことがよくあり、その都度おもりや仕掛けを付け直さなければならなく、時間と釣具の消耗さらに、海底に残された釣り糸や釣具による海洋生物などの環境汚染につながるものであった。また、投げ釣は遠投した仕掛けをリールを巻き上げながら海底近くの魚をうまく誘いながら釣る釣りであるため、初心者と上級者では釣課に大きな差が出た。【解決手段】以上の課題を解決するために、翼１を備えた釣具を仕掛けに取り付けることによりリールの巻き上げ、又は海底の潮流による水の圧力を翼に受け上昇、仕掛けを素早く浮き上がらせ根掛かりを防止し、且つ仕掛けに付けたエサが浮遊することにより、集魚効果が得られ釣果を向上させる。【選択図】図１
2008259481.tif 000002
【特許請求の範囲】
【請求項１】
釣り用の仕掛けがリールを巻き上げもしくは、釣り糸を引っ張ることにより、または潮流により水中を浮遊させるための翼を備えた釣り具。
【請求項２】
水中カイト自体が根掛かりしたとき、釣り糸を引っ張ることにより仕掛けから脱落する構造を有する。
【発明の詳細な説明】
【技術分野】
【０００１】  この発明は、投げ釣りにおいてリールの巻き上げ、または潮流による水の抵抗を受け、仕掛けを海底から浮き上がらせるための翼を備えた釣り具に関する。
【背景技術】
【０００２】  従来、投げ釣りはリールに巻いた釣り糸の先に天秤おもりを付け、その天秤の下に釣り針がついた仕掛けを取り付け、釣り竿により仕掛けを遠投してリールを巻き上げながら海底近くにいる魚を釣り上げる釣りである。
【発明の開示】
【発明が解決しようとする課題】
【０００３】  しかしながら、仕掛けを巻き上げる際、海底の根（海藻や岩）に引っかかり釣り針が折れたりおもりや仕掛けが切れてしまうことがよくあり、その都度おもりや仕掛けを付け直さなければならなく、時間と釣り具の消耗、さらに海底に残された釣り糸や釣り具による海洋生物などの環境汚染につながるものであった。
また、投げ釣りは遠投した仕掛けをリールを巻き上げながら海底近くの魚をうまく誘いながら釣る釣りであるため、初心者と上級者では釣果に大きな差が出た。
【課題を解決するための手段】
【０００４】  以上の課題を解決するために、この水中カイトを仕掛けに取り付けることによりリールを巻き上げる又は、海底の潮流による水の抵抗圧力を受け上昇、仕掛けを浮き上がらせ、仕掛けを浮遊させるための翼を備えたことを特徴とする釣り具である。
【発明の効果】
【０００５】  仕掛けを海底から素早く浮き上がらせることにより根掛りを軽減させ、再度取り付けの時間や釣り具の消耗、さらに海底に残された釣り糸や釣り具による海洋生物に対する環境汚染の軽減、且つ浮き上がらせることにより釣り針にかけた餌が水中を浮遊することで集魚効果が得られ、釣果を向上させる効果がある。
【発明を実施するための最良の形態】
【０００６】  この発明の一実施形態を図１に示す。
この水中カイトは自然分解するプラスチックで製作し、本体が水中で常に直立し、翼１に水の抵抗圧力を受けた時、垂直方向に上昇させるため、翼１を常時水平に保つための空気室（浮き）２、翼１を取り付けるリブ４、仕掛けに取り付けるための取り付けガイド３から構成される。
取り付けガイド３には仕掛けに取り付けるため、また翼自体が根掛かりした時に仕掛けから脱落するよう切り込み７を設ける。
さらに浮き上がりの高さを調節するため仕掛けの幹糸に取り付けるストッパー５から成る構造とする。【０００７】「実施形態の効果」
この材質、構造によれば、リールの巻き上げ、潮流により発生する流水圧力が翼１にかかるため、仕掛けが水中に浮き上がり、根掛かりを軽減させ、且つ餌が浮遊するため集魚効果をも期待できる。万が一仕掛けから水中カイトが水中に脱落しても自然分解する材質で作られているため、環境汚染を防止することができる。
「他の実施形態」
（１）図１の翼の実施形態は、円筒形や三角形、多角形など考えられる。
（２）取り付け位置は、天秤おもりの天秤に取り付けることも考えられる。
（３）取り付け位置は、天秤おもりと仕掛けの間に取り付けることも考えられる。
【実施例】
【０００８】  （イ）  この水中カイトは、投げ釣りの仕掛けの幹糸に流動する様中通しで取り付ける。
（ロ）  水中カイトの後部の位置に仕掛けの幹糸にストッパー５を取り付ける。
（ハ）  ガイド３は仕掛けに取り付けるための切り込み７を設ける。
（ニ）  翼１自体が根掛かりした場合、切り込み７により仕掛けから脱落する。
【図面の簡単な説明】
【０００９】
【図１】この発明の一実施形態を示す斜視図である。
【図２】この発明の一実施形態を示す側面図である。
【図３】この発明の一実施形態を示す正面図である。
【図４】この発明の一実施形態を示す後面図である。
【図５】この発明の一実施形態を示す取り付けガイド拡大図である。
【図６】この発明の一実施形態を示すイメージ図である。
【符号の説明】
【００１０】１  翼
２  空気室（浮き）
３  取り付けガイド
４  リブ
５  ストッパー
６  仕掛け幹糸
７  切り込み
【図１】
2008259481.tif 000003
【図２】
2008259481.tif 000004
【図３】
2008259481.tif 000005
【図４】
2008259481.tif 000006
【図５】
2008259481.tif 000007
【図６】
2008259481.tif 000008
(57)【要約】【課題】  簡便で安全な方法にて水素含有還元性飲料を提供する。【解決手段】  液体飲料を容器に充填後、容器の空隙に０．１％以上の水素体積濃度がある混合ガスを噴き付け、残留空気を置換する。混合ガス中の水素ガスが水素分圧０の液体飲料に溶け込み還元性がある液体飲料となる。【特許請求の範囲】
【請求項１】
飲料容器に飲料を充填した際、体積濃度で０．１％〜２０％の水素ガスを含む混合ガスで容器の空隙を置換することにより水素含有液体飲料を製造する製造方法。
【請求項２】
前記混合ガスは、水素ガスと窒素ガスまたは／及び不活性ガスとを主成分とする請求項１記載の水素含有液体飲料の製造方法。
【請求項３】
前記混合ガスの水素ガス濃度が体積濃度で１％〜４％であることを特徴とする請求項１ないし２記載の水素含有液体飲料の製造方法。
【発明の詳細な説明】
【技術分野】
【０００１】  本発明は、容器に充填した液体飲料を水素含有液体飲料にする簡便なる方法である。本発明をより詳細にいうと水素含有液体飲料を製造する際に、より経済的に、より安全に飲料用液体に水素を含有する方法である。
【背景技術】
【０００２】  従来、容器に導入された液体の品質の変化、容器の形状変化、液漏れ等の異常を防止する手段として、特開平６−２８６７２６号、特開平１０−２１８２８８号の公開技術のように、液体を収容した容器内に液体窒素を滴下して気化させることで容器内の空隙を窒素ガスで置換し、開口部を密封する方法があった。
【特許文献１】  特開平６−２８６７２６号広報
【特許文献２】  特開平１０−２１８２８８号広報
【０００３】  背景技術に示した技術では、容器内の空気を窒素と置換し、酸素による液体飲料の品質変化防止を目的としている。具体的には、液体窒素を滴下し容器内の空気を窒素置換しながら熱滅菌処理後の冷却時に液体の体積縮小による陰圧で容器が凹むことを防止している。またその直後に容器の空隙に窒素ガスを吹き付けた後に容器を密封する方法を採用している。これはさらに空気中の酸素を追い出したいとの考え方によるものである。【０００４】  これはいずれも容器内の残存酸素量を極力減らし、飲料物における酸化の促進を抑えようとの考え方によるものであった。
【発明の開示】
【発明が解決しようとする課題】
【０００５】  本願発明は、従来の飲料用液体充填容器内の残存酸素量を極力減らし、容器内の飲料用液体の酸化促進を極力抑えようとの考え方に比べ、水素ガスの還元力を利用し、還元物を提供するという、さらに進んだ考え方により、飲料用液体そのものを還元性の液体に変える方法を目的とする。
【課題を解決するための手段】
【０００６】  本発明者は、上記課題に着目し、容器の空隙に窒素ガスを吹き付けることにより酸化防止を行うとの考え方をさらに一歩進め、水素ガスを含んだ混合ガスを吹き付けることにより、還元性を持った液体を提供するという考え方にまで進化させ、上記課題を克服する方法を発明した。【０００７】  具体的には、本願発明は、従来から、容器内の空気を窒素ガスにて置換する方法があるが、体積濃度において０．１％以上の水素ガスを含む混合ガスを用いて置換する方法により飲料用液体を還元性の飲料用液体にすることができる。【０００８】  さらに詳細なる説明をすると、飲料用液体を容器に充填した後、体積濃度において０．１％以上の水素ガスを含む混合ガスで容器内の空隙を置換することにより、水素を含んでいない飲料用液体が、上記空隙に空気と置換されている体積濃度０．１％以上の水素混合ガスから水素ガスが水素分圧０の飲料用液体に溶け込み、水素分圧の平衡を保とうとし、還元性がある飲料用液体へと変化する。【０００９】  飲料用液体充填後に容器内の空隙を置換する水素ガスを含んだ混合ガスの水素体積濃度を０．１％以上としたのは、それ以下では殆ど水素ガスが飲料用液体に溶け込むことが出来ず、また２０％以下としたのは大気中においての水素ガスの発火可能体積濃度が４％以上である為、２０％以上とすると、開栓をしたときに発火の可能性が高くなる為である。【００１０】  容器内の空隙を置換する水素混合ガスの水素体積濃度は好ましくは、１％以上１０％以下であり、非常に好ましくは２％以上４％以下である。水素体積濃度を高くすることにより、液体飲料に水素が含有される水素濃度は高くなるが、高くすればするほど開栓時の発火の可能性が高くなる為、水素体積濃度を４％以下にした方がより安全である。
【実施例１】
【００１１】  本願発明の実施例を示す。【００１２】  容積３２７ｃｃのアルミ缶容器に、水素含有濃度０ｐｐｍの水を３００ｍｌ充填した後、空隙に水素体積濃度４％、窒素体積濃度９６％の混合ガスを噴き付け、空気と混合ガスを置換し、閉栓をした。この時の水の酸化還元電位は＋２７０ｍｖである。４８時間後に水の酸化還元電位と水素濃度を計測し、表に表す。
2008259480.tif 000002
2008259480.tif 000003
計測器は東亜ＤＫＫの酸化還元電位計、溶存水素濃度計を用いる。【００１３】  上記表より水素が全く含有されていない水が、４８時間後には０．０４５ｐｐｍの水素が含まれる水へと変化をし、還元性を持った水となっていることがわかる。
【実施例２】
【００１４】  容積３２７ｃｃのアルミ缶容器に、水素含有濃度０ｐｐｍのコーヒーを３００ｍｌ充填した後、空隙に水素体積濃度４％、窒素体積濃度９６％の混合ガスを噴き付け、空気と混合ガスを置換し、閉栓をした。この時のコーヒーの酸化還元電位は＋７０ｍｖである。４８時間後にコーヒーの酸化還元電位と水素濃度を計測し、表に表す。
2008259480.tif 000004
計測器は東亜ＤＫＫ製の酸化還元電位計、溶存水素濃度計を用いる。【００１５】  上記表より水素が全く含有されていないコーヒーが、４８時間後には０．０５０ｐｐｍの水素が含まれるコーヒーへと変化をし、還元性を持ったコーヒーとなっていることがわかる。
【発明の効果】
【００１６】  上記実施例から確認が出来ることは、水素が全く含まれていない液体飲料が水素を含んだ混合ガスで、液体飲料充填後に容器内の空隙の空気を置換することにより、水素ガスを含んだ還元性の液体飲料に変化をするということである。これにより、安全で経済性に富んだ還元性液体飲料の製造方法が提供される。
【発明を実施するための最良の形態】
【００１７】  本願発明において用いられる容器については、金属缶、紙パック、ペットボトル等、容器から容易に気体が漏れ出さないものであれば良いが、アルミ缶が最良と考えられる。
容器内の空隙を置換する混合ガスの水素含有体積濃度は４％以下で４％に近く、４％以上にならない比率が良い。
混合ガスの水素ガス以外のガスについては、当然安全性の見地から不活性ガスから選択されるべきである。
(57)【要約】      （修正有）【課題】犬などの糞を収集するためのビニール袋やスコップを持ってまわらねばならないという面倒をなくした糞収集装置を提供する。【解決手段】従来の虫取り網の形状であって，網の代わりにビニールの袋を取り付けられるように外枠バンド１を内外二重とし，外枠バンド１に繋がる柄４との接合部分５の接合角度を変えられる構造を持つ。さらに、柄４の取手部分６の内側にスコップを内蔵した。【選択図】図１
2008259434.tif 000002
【特許請求の範囲】
【請求項１】
虫取り網のネットの代わりにビニールの袋などが自
由に装着し，また取り外し出きるように，ビニールの袋を留める枠
の周囲に取り外し可能な外枠バンドを具備したことを特徴とする犬
などの糞収集装置。
【請求項２】
請求項１の犬などの糞収集装置において，ビニールの
袋を留める枠に繋がる柄の長さが自在に伸縮出来て，しかも，柄の取
手部分に取り出し可能なスコップを内臓することを特徴とする犬など
の糞収集装置。
【請求項３】
請求項１，２の犬などの糞収集装置において，ビニー
ルの袋を留める枠と枠に繋がる柄の接合角度が変更出来ることを特
徴とする犬などの糞収集装置。
【発明の詳細な説明】
【技術分野】
【０００１】
本発明は，犬などが散歩中にする糞を集めるための装置に関する
ものである。
【背景技術】
【０００２】
従来の網は，実用新案登録第３１１７００２号や実用新案登録第
３０３７８５６号のように昆虫採集を対象としたものであり，犬な
どが散歩中にする糞を処理するためには考案されておらず，糞の処
理をするのにはもっぱらスコップやビニールの袋を持ってまわって
いる。
【特許文献１】実用新案登録第３１１７００２号
【特許文献２】実用新案登録第３０３７８５６号
【発明の開示】
【発明が解決しようとする課題】
【０００３】
犬などが散歩中にする糞を処理するためにはスコップやビニール
の袋を持ってまわらねばならず面倒であった。また，散らばった糞
を収集するためには腰をかがめて取り集めねばならずわずらわしい。
本発明は以上の問題を解決するためになされたものである。
【課題を解決するための手段】
【０００４】
従来の虫取り網の形態をした本発明において，ネットの代わりに
市販のビニールの袋などが自由に装着取り外し出きるように，ビニ
ールの袋を留める枠の周囲にそれ自身取り外しできる切れ目のある
外枠バンドを設けた。
さらに，枠に繋がる柄は長さを変えることができるようにし，取手
部分には小さなスコップを内蔵した。
また，ビニールの袋を留める枠とこれに繋がる柄は接合部分によ
って繋がれているが，この角度を変えれるようにした。
本発明は，以上の構成よりなる手軽に犬などが散歩中にする糞を
収集する装置である。
【発明の効果】
【０００５】
虫取り網に似た形態をした本発明を使用することによって，利用
者は犬などが散歩中にした糞を容易にビニールの袋に収めることが
でき，汚物に手を触れることなしに散歩でき衛生的である。
ビニールの袋は，簡単に装着取り外し出きる外枠バンドによって
ビニールの袋を留める枠に固定されているので，利用者は簡単にビ
ニールの袋を取り外せる。
ビニールの袋に入らなかった糞は取手部分に内臓されているスコ
ップを使って収集される。
さらに，枠に繋がる柄の長さが伸縮でき，この部分と枠の接合角
度を変えることで従来より楽な姿勢で犬などの糞が収集できる。
【発明を実施するための最良の形態】
【０００６】
発明の実施の形態について，図面を参照しながら説明する。
図１は本発明の概略図である。
枠１にビニールの袋が留められ，これに枠に繋がる柄４が接合部５
によって接合されている。取手部分６にスコップを内臓している。
図２はビニールの袋を留める構造を示す。
ビニールの袋を留める枠２の外周を取り外し可能な外枠バンド１が
ビニールの袋を挟み込むように取り巻く。外枠バンド１は接合部分
で切れ目のある環の形状である。この切れ目によって，外枠バンド
は容易に幅が広げられ，また簡単にビニールの袋を装着できる。
外枠バンド１は，ビニールの袋が糞の重みによってずり落ちない
よう，また取り外しは引っ張れば簡単になされるように適度の締め
付けがなされるために，それ自体がゴムなどのビニールの袋がすべ
らぬ物質で作られてもよいし，その内側にゴムを張ったり突起物を
つけたりしてもよい。
図３が接合部分５である。
この接合部分５の角度と柄４の伸び縮みによって本発明の使用者は
楽な姿勢で犬などの糞の収集が出きるようになる。接合部分５は，
ビニールの袋を留める枠２と柄４とを水平ではなくある仰角をもた
せることを目的としている。
図４が取手部分と内蔵されているスコップ７である。
【産業上の利用可能性】
【０００７】
なお本発明では，ビニールの袋を留めるのに外枠バンドを使用す
るが，この外枠バンドの代わりにクリップなどを利用して留める構
造にしてもよい。
【図面の簡単な説明】
【０００８】
【図１】本発明の概略図
【図２】ビニールの袋を留める構造
【図３】接合部分
【図４】取手部分とスコップ
【符号の説明】
【０００９】
１      外枠バンド
２      ビニールの袋を留める枠
３      ビニールの袋
４      柄
５      接合部分
６      取手部分
７      内臓スコップ
【図１】
2008259434.tif 000003
【図２】
2008259434.tif 000004
【図３】
2008259434.tif 000005
【図４】
2008259434.tif 000006
(57)【要約】      （修正有）【課題】スノーボードに必要な整備機材、つまりプラスドライバーや滑走ワックススプレーなどをスノーボードウェアのポケットに入れ、転倒時に硬い整備機材がスノーボードウェアのポケットを突き破ったり、それが元で怪我をしてしまう危険性の除去。またスノーボードのウェアに整備機材を入れることで、スノーボードのウェアのポケットが肥大化し、スノーボードウェア本来のスタイルを崩す要因となり不恰好となってしまう事を防止する。【解決手段】スノーボードのバインディング１に整備機材用の収納ボックス２を設け、スノーボード整備機材３をスノーボードウェアのポケットに入れる事を無くし、スノーボードビンディングに装着される整備機材収納ボックスに整備機材を入れることで安全性と機能性を両立させる事が出来る。【選択図】図１
2008259867.tif 000002
【特許請求の範囲】
【請求項１】
スノーボードバインディング（１）用のバインディングベルト（４）を使用して、前記バインディング（１）の側面に配置されることを特徴とする収納ボックス（３）。
【発明の詳細な説明】
【技術分野】
【０００１】本発明は、スノーボードのバインディングに取り付けるスノーボード整備機材の収納ボックスに関するものである。
【背景技術】
【０００２】今までスノーボードに必要な整備機材、つまりプラスドライバーや滑走ワックススプレーなどはスノーボードウェアのポケットに入れることが多い。
そのため、転倒時に硬い整備機材がスノーボードウェアのポケットを突き破ったり、それが元で怪我をしてしまう危険性がある。【０００３】またスノーボードのウェアに整備機材を入れることで、スノーボードのウェアのポケットが肥大化し、スノーボードウェア本来のスタイルを崩す要因となり不恰好となってしまう。
【発明の開示】
【発明が解決しようとする課題】
【０００４】解決しようとする問題点は、整備機材つまり硬い物をスノーボードウェアのポケットに入れることで起こり得る転倒時のスノーボードウェアのポケットの突き破りとそれが元で怪我をしてしまう事である。
【課題を解決するための手段】
【０００５】本発明は、スノーボードのバインディングに整備機材用の収納ボックスを設けた事を特徴とする。
【発明の効果】
【０００６】本発明のスノーボード整備機材収納ボックスにより、スノーボード用の整備機材をスノーボードウェアのポケットに入れる事を無くし、スノーボードバインディングに装着される整備機材収納ボックスに整備機材を入れることで安全性と機能性を両立させる事が出来る。
【発明を実施するための最良の形態】
【０００７】図１のようにスノーボード用のバインディング（１）側面に、整備機材収納ボックス（２）を設けることによって、バインディングベルト（４）締め付け時に邪魔にならず、なおかつ、スノーボードの滑走時にも邪魔にならない。また図５の様な配置方法により滑走中に転倒した場合でもスノーボードとバインディングの配置により収納ボックスを保護する働きを持つため、デジタルカメラなどの趣向品を収納する事も可能である。
【実施例１】
【０００８】図１は、本発明の一実施例の斜視図であり、１はスノーボード用のバインディングであり、スノーボード（１０）とソフトブーツ（７）を履いた足を連結する器具である。
２は本発明のスノーボード整備機材収納ボックスである。素材はバインディング（１）表面が傷付かない様、バッグ等に使用される素材（ナイロン等）が望ましく、蓋の開閉にはベルクロ、スナップフィット等が良い。スノーボードグローブを付けながらでも容易に開閉が出来るものとする。更にベルトループ（５）周辺は特に頑丈なつくりとし、滑走中に破損する事が無い様にすること。
３は収納されるスノーボード整備機材であり、主にプラスドライバーやスプレーワックス等を入れる事が出来る。
４はバインディングベルトであり、ソフトブーツ（７）をバインディング（１）に固定するためのものである。スノーボード整備機材収納ボックス（２）はこのベルトを前記ボックスのベルトループ（５）に通すことで取り付けられる。
５はスノーボード整備機材収納ボックス（５）のベルトループである。バインディングベルト（４）を通す為のものであり、定位置に固定するために頑丈な作りにしなければならない。
６はバインディングベルトの取り付け孔であり、バインディング（１）とバインディングベルト（４）を取り付ける為の孔である。
７はスノーボード用のソフトブーツである。
８はバインディング（１）頂点からスノーボード（９）の端点までの罫線であり、この３本の線の内側に配置されるスノーボード整備機材収納ボックス（２）が安全である事を示す。
９は整備機材収納ボックス（２）の蓋部分を閉じた状態のものである。
１０はスノーボードである。【０００９】図２のようにバインディングベルト（４）にスノーボード整備機材収納ボックス（１）のベルトループ（５）に通し、図１のようにバインディング（１）側面に配置する。これによって既存のバインディングにも取り付ける事が出来るため、専用のバインディングを製造する必要が無く、コストを抑えることが出来る。【００１０】図３はスノーボード整備機材収納ボックス（２）の取り付け方法を示した図である。バインディングベルト（４）はベルトループ（５）に通し、バインディング（１）の取付孔（６）にビスを介して取り付けられる。【００１１】図４は実施例１の取り付け状態よりソフトブーツ（７）を装着した図である。バインディング（１）の側面に配置することで、前記ブーツの装着時にも邪魔になる事が無い。【００１２】図５はスノーボード整備機材収納ボックス（２）の配置箇所が安全である事を記した図である。バインディング（１）の頂点からスノーボード（１０）の端点までの３本の罫線が、設備機材収納ボックス（９）が安全なエリア（８）である事を証明する。
【産業上の利用可能性】
【００１３】スノーボードはスキーと並ぶウィンタースポーツとして定着したことは疑いの無い事実であり本発明は特にフリースタイルと呼ばれる柔らかいブーツを使用するところのスノーボードにおいて利用されるものである。
【図面の簡単な説明】
【００１４】
【図１】実施例１の取り付け状態を示した斜視図である。
【図２】実施例１の取り付け状態よりバインディングベルト（４）とスノーボード整備機材収納ボックス（２）の接続部を示した斜視図である。
【図３】スノーボード整備機材収納ボックス（２）の取り付け方法を表した図である。
【図４】実施例１の取り付け状態よりソフトブーツ（７）を装着した図である。
【図５】スノーボード整備機材収納ボックス（２）の配置箇所が安全である事を証明する図である。
【符号の説明】
【００１５】１  バインディング
２  スノーボード整備機材収納ボックス
３  スノーボード整備機材
４  バインディングベルト
５  ベルトループ
６  取り付け孔
７  ソフトブーツ
８  スノーボードバインディングとスノーボードに囲まれる安全エリア
９  蓋を閉じた状態の整備機材収納ボックス
１０  スノーボード
【図１】
2008259867.tif 000003
【図２】
2008259867.tif 000004
【図３】
2008259867.tif 000005
【図４】
2008259867.tif 000006
【図５】
2008259867.tif 000007
(57)【要約】      （修正有）【課題】薬局の医薬品ドリンク商品の保冷ショーケース等において、納品、在庫管理、消費期限調査、棚掃除でビンを一つずつ取り出し、格納する労苦を軽減する商品収納ケースである。【解決手段】弁当箱の容器側ケースの左右どちらか一方の側壁をはずした形状のケース。箱はしっかりとしたケースで底板に脱落・転倒防止の支柱をつける。本ケース使用で、ビンを載せたまま取出しが出来、各種業務終了後、スムースに格納が出来る商品納入ケースを特徴とする。【選択図】図１
2008259801.tif 000002
【特許請求の範囲】
【請求項１】
店内のショーケースへの商品の陳列・整理・整頓・賞味期限調査・在庫管理・商品陳列棚の清掃などを容易にする商品収納ケース。
【発明の詳細な説明】
【技術分野】
【０００１】  この発明は、弁当箱の容器側ケースの左右どちらか一方の側壁をはずした形状「図１」で、縦１列もしくは複数列に商品を収納する商品収納ケースである。
【背景技術】
【０００２】  従来、陳列棚に商品を収納するときは「図２」のＬ字型板の壁板８で左右の商品を分け、載せ板９の上に商品を載せ、陳列している。
【発明の開示】
【発明が解決しようとする課題】
【０００３】  これは次のような欠点がある。
１、陳列商品を客が取り出すとき、商品が奥に向かい転倒するケースがしばしば起こる。
２、店員が商品を格納するとき、先入れ先出しが原則のため、入れてある商品を一個一個、外に取り出し、その後に一個一個入れることとなる。狭いところに手をいれ商品を取り出し、新しい商品を入れることは手間と時間がかかり疲労の原因となる。
３、背景技術「０００２」にも記載したが、商品は単にＬ字型板の載せ板９の上に載せているだけで、転倒しやすい。また左右の隣のＬ字型板の側壁に触っただけで左右の商品までも転倒させてしまうことがしばしばある。
４、商品はただ格納するばかりではなく、随時または定期的に取り出し、賞味期限調査、在庫確認などの点検がなされるがそのつど、商品を一つずつ取り出し確認するが上記３に記載したことが起こる。
５、商品陳列棚の清掃時にも取り出し、清掃後は格納と手間がかかること、わずらわしさが付きまとう。
６、本発明は「０００３」の１から５までに記載した欠点をなくすためになされたものである。
【課題を解決するための手段】
【０００４】１、図１の斜視図に示したように、弁当箱の容器の左右どちらかの側面壁をはずした形状（図１は右側面壁をはずしている）
２、正面壁２は商品名が見える程度の高さにし、値札，ＰＯＰなどがはさめる間隙をつけてもいい。
３、背面壁３は側面壁と同じ高さ、またはそれよりも高くし商品が奥に向かって転倒をするのを防止する。
４、側面壁が取り外された側の底板線５上に商品転倒や脱落を防ぐ支柱６（Ｔ字型状板）をつける。形状はビンを並べたときに出来るビンとビンの間隙にはまる程度の形状とし、同様に底板４の中間部には中間部支柱７（十字型状板）を必要なところに適宜配置する。
本発明は以上の構成よりなる商品収納ケースである。
【発明の効果】
【０００５】従来のようなＬ字型板の載せ板９の上に単に商品を載せているというだけではなく、箱状のケースに近い状況で格納されているため、ケースの取りだしや格納時にも商品の起立の安定性が確保されている。Ｌ字型板「図２」の載せ板９上に、物を載せてのだし入れは不可能に近い。本発明を使用することで作業が陳列棚の外部で、商品の配置、在庫確認、賞味期限のチェックができ、また陳列棚の清掃が容易に出来、利便性が高い。また基本型「図１」の弁当箱の左右どちらかの側壁の一端が除かれているため、側面壁「符号１」の厚さ分の積み重ねで陳列商品の列を増やすことも出来る。わずか数ミリの厚さではあるが１０列、２０列と陳列数が増えれば、その積み重ねが新しい空間を作り陳列数を増やすことが出来る。あと５ミリ空間があれば１列入れられるのにということがしばしばあり側面壁の取り除きの効果は大きい。
【発明を実施するための最良の形態】
【０００６】問題を解決する手段「０００４」に記載したとおりの形態をしたものを提案する。本発明は、たとえば薬局のドリンク保冷ショーケースに応用されることが考えられる。製造会社が違っても、３０〜１００ｍｌのビンは、ほぼ同じ直径で生産されている。また、離乳食のビンなども同容量のものはメーカーが異なっても直径は同じである。「図１」のような形態を提案する。
【図面の簡単な説明】
【０００７】
【図１】本発明の斜視図、ならびに以下の図面の位置を示す
【図２】Ｌ字型板にビンが載っている斜視図
【図３】上面図
【図４】正面図
【図５】背面図
【図６】図３の上面図の再掲
【図７】左側面図
【図８】右側面図
【図９】図３の上面図の再掲
【図１０】底面図
【図１１】符号７の十字型状板の中間部支柱斜視図
【図１２】符号６のＴ字型状板支柱斜視図
【符号の説明】
【０００８】１、  左側面壁
２、  正面壁
３、  背面壁
４、  底板
５、  側面の壁のないところの底板線
６、  転落防止のＴ字型状板支柱
７、  十字型状板の中間部支柱
８、  Ｌ字型板の壁板
９、  Ｌ字型板の載せ板
１０、収納されたビン
【図１】
2008259801.tif 000003
【図２】
2008259801.tif 000004
【図３】
2008259801.tif 000005
【図４】
2008259801.tif 000006
【図５】
2008259801.tif 000007
【図６】
2008259801.tif 000008
【図７】
2008259801.tif 000009
【図８】
2008259801.tif 000010
【図９】
2008259801.tif 000011
【図１０】
2008259801.tif 000012
【図１１】
2008259801.tif 000013
【図１２】
2008259801.tif 000014
(57)【要約】【課題】滅菌錠剤の水溶液の調節が適確に行なわれる比較的構造が簡単な、滅菌錠剤を用いる滅菌装置を提供する。【解決手段】  前蓋２を着脱自在に設けたケーシング１内に覗窓８ａを備えたキャップ８を螺合した滅菌錠剤容器３と、オリフィス５を設けた通水管４を備え、前記オリフィス５の入口側５ｂを逆止弁７を介して前記滅菌錠剤容器３に接続すると共に、前記オリフィス５の狭隘部５ａと前記滅菌錠剤容器３の下部流出口３ｂとをニードルバルブ６を介して接続する。【選択図】図２
2008259986.tif 000002
【特許請求の範囲】
【請求項１】
滅菌錠剤容器と、オリフィスを設けた通水管とを備え、前記オリフィスの入口側を逆止弁を介して前記滅菌錠剤容器に接続すると共に、前記オリフィスの狭隘部と前記滅菌錠剤容器の下部とを添加量調節弁を介して接続したことを特徴とする滅菌装置。
【発明の詳細な説明】
【技術分野】
【０００１】
本発明は、浄水装置や水道の蛇口等に接続して使用する滅菌錠剤を用いる滅菌装置に関するものである。
【背景技術】
【０００２】
従来、浄水装置における浄水処理水の殺菌消毒には滅菌消毒水を添加する方法や滅菌錠剤を用いる方法、あるいはオゾン殺菌、紫外線殺菌等による方法が採られてきた。
【０００３】
これらの浄水処理水の滅菌処理の方法の中、滅菌錠剤を用いる方法は、使い勝手が最も優れているが、従来の滅菌錠剤を用いた滅菌装置には次のような問題があった。
【０００４】
即ち、従来の滅菌装置は、図４に示すように上部に浄水処理水の流入口１１を設け、下部を漏斗状とした後、流出口１２とした容器１３内に、外筒１４を垂直に設け、その外筒１４内に滅菌錠剤を収納する溶解容器１５を回動自在に設け、且つ前記外筒１４の流入側に１０ｍｍ離して直径１．５ｍｍの２個の流入孔１６，１６を設けると共に、溶解容器１５の両側の前記流入孔１６，１６と流入孔１７と対応する位置に、それぞれ回動方向に漸次巾を小さくした通水量調節用スリット１８，１８，１９を設け、前記溶解容器１５を回動することにより、スリットによって形成される流入孔と流出孔の通水量を変化させて、溶解容器１５内に流入する浄水処理水の流入量を調整するように構成したものであるが、前記外筒１４の外側を流れる浄水処理水の水勢により、出口側の孔から溶解容器１５内に浄水処理水が逆流してしまうことがある。その場合、浄水処理水に添加すべき最初に設定した滅菌錠剤の水溶液の割合が変化してしまうため、適正な滅菌が行われず、その信頼性に問題があった。なお、図４中２０aは、流入側接続管２０に設けた排水孔である。
【特許文献１】特開２００１−４７０３５号公報
【発明の開示】
【発明が解決しようとする課題】
【０００５】
そこで本発明は、滅菌錠剤の水溶液の調節が適確に行なわれる比較的構造が簡単な、滅菌錠剤を用いる滅菌装置を提供することを課題とするものである。
【課題を解決するための手段】
【０００６】
本発明は、上記の課題を解決するためになされたもので、滅菌錠剤容器と、オリフィスを設けた通水管とを備え、前記オリフィスの入口側を逆止弁を介して前記滅菌錠剤容器に接続すると共に、前記オリフィスの狭隘部と前記滅菌錠剤容器とを添加量調節弁を介して接続したことを特徴とする滅菌装置である。
【発明の効果】
【０００７】
本発明によると、滅菌錠剤の溶解容器となる滅菌錠剤容器の構造が簡単な構造になること、溶解水の逆流を生ずることがないことは勿論、添加量調節弁で、滅菌錠剤の溶解水の的確な調節を行うことができ、しかも、通水管に設けたオリフィスの作用により、そこを流れる浄水処理水の水量に応じて適正な滅菌処理が行われる。
【０００８】
図１は本発明の実施例の平面図、図２は前蓋の一部を截断した実施例の正面図、図３はオリフィスを備えた通水管の断面図で、１は前蓋２を着脱自在に取りつけたケーシング、３は滅菌錠剤容器、４はオリフィス５を設けた通水管である。
【０００９】
滅菌錠剤容器３は、下部に設けた浄水処理水の流出口３ａをニードルバルブ６を介して通水管４に設けたオリフィス５の狭隘部５ａに接続し、流入口３ｂはオリフィス５の入口側５ｂに逆止弁７を介して接続されている。
【００１０】
そして滅菌錠剤容器３には晒粉を固化してパック状とした滅菌錠剤をストレーナーに入れたものを収納し、覗窓８ａを設けたキャップ８を螺合して密封するようにする。
【００１１】
そうして、通水管４の入口側４ａを浄水装置等に接続して浄水処理水Ｗを通水する時は、オリフィス５の作用によって、最初に滅菌錠剤容器３内の空気をニードルバルブ６を介して吸引排気し、また浄水処理水Ｗの一部を逆止弁７を介して、滅菌錠剤容器３内に吸引し、その後滅菌錠剤の溶解水がニードルバルブ６とオリフィス５を介して浄水処理水に添加され、滅菌処理された浄水処理水Ｗ’が排水されることになる。
【００１２】
溶解水を添加する割合は、従来と同様テスト紙を用い、浄水処理水Ｗ’中の溶解水の割合が所定の値になるようにニードルバルブ６を調節する。従って爾後、浄水処理水Ｗは適正な滅菌処理が行われ、溶解水の添加割合が変動することはない。
【００１３】
本滅菌装置は、逆止弁７により、従来の滅菌装置のように逆流することがないことは勿論、ニードルバルブ６によって一旦設定すれば、安定した滅菌処理が続行され、調節が簡単で使い勝手がよく、しかも構造が簡単で安価に提供することが出来ることは相俟って、滅菌装置として優れたものである。
【図面の簡単な説明】
【００１４】
【図１】実施例の平面図。
【図２】実施例の一部を截断した正面図。
【図３】通水管の断面図。
【図４】従来の滅菌装置の縦断面図。
【図５】図４のＡ−Ａ線断面図。
【図６】溶解容器に設けた流入側と流出側のスリットの形状を示す側面図。
【符号の説明】
【００１５】
１        ケーシング
２        前蓋
３        滅菌錠剤容器
４        通水管
５        オリフィス
６        ニードルバルブ
７        逆止弁
８        キャップ
８ａ      覗窓
【図１】
2008259986.tif 000003
【図２】
2008259986.tif 000004
【図３】
2008259986.tif 000005
【図４】
2008259986.tif 000006
【図５】
2008259986.tif 000007
【図６】
2008259986.tif 000008
(57)【要約】【課題】花粉症が広く日本全国に蔓延している状況で、花粉飛散情報を広く国民と共有し、発症の予防、アレルギー反応の防止につとめる必要がある。しかしながら、新聞・テレビでの情報はいつでも確認できるわけではなく、また詳細な情報とは言えない。携帯電話、インターネットでは詳細な情報が見られるが、サービスは有料であり、インフラやアクセスにコストが常にかかり、広く国民に伝わる状況とは言えない。そこで、この発明は、受信にはコストがかからず、常に詳細な情報が確認できる花粉飛散情報システムと表示装置を提供することを課題とする。【解決手段】以上の課題を解決するために、第一発明は、花粉情報をＦＭ多重放送、地上デジタル放送、衛星放送などの放送電波に乗せて花粉シーズン中は２４時間常に共有するシステムである。第二発明は、放送されている電波から花粉飛散情報を読み取り表示する装置である。【選択図】図１
2008259149.tif 000002
【特許請求の範囲】
【請求項１】
花粉飛散情報を放送電波に乗せて共有するシステム。
【請求項２】
花粉飛散情報を乗せた電波を受信して表示する装置。
【発明の詳細な説明】
【技術分野】
【０００１】この発明は、花粉飛散情報を放送電波に乗せて共有するシステムとその電波から花粉飛散情報を読み取り表示する機器に関する。
【背景技術】
【０００２】従来の花粉飛散情報／気象情報は新聞やテレビでのおおまかな情報とインターネットや携帯電話からのアクセスで確認できる情報である。
【発明の開示】
【発明が解決しようとする課題】
【０００３】花粉症が広く日本全国に蔓延している状況で、花粉飛散情報を広く国民と共有し、発症の予防、アレルギー反応の防止につとめる必要がある。しかしながら、新聞・テレビでの情報はいつでも確認できるわけではなく、また詳細な情報とは言えない。携帯電話、インターネットでは詳細な情報が見られるが、サービスは有料であり、インフラやアクセスにコストが常にかかり、広く国民に伝わる状況とは言えない。
そこで、この発明は、受信にはコストがかからず、常に詳細な情報が確認できる花粉飛散情報システムと表示装置を提供することを課題とする。
【課題を解決するための手段】
【０００４】以上の課題を解決するために、第一発明は、花粉情報をＦＭ多重放送、地上デジタル放送、衛星放送などの放送電波に乗せて花粉シーズン中は２４時間常に共有するシステムである。第二発明は、放送されている電波から花粉飛散情報を読み取り表示する装置である。
【発明の効果】
【０００５】第一発明によれば、このシステムを稼動させることにより、広く国民に花粉情報を無料で提供することが出来る。第二発明によれば、この機器を屋内や屋外に設置したり、携帯することで常に現地での花粉飛散状状態が把握でき、飛散量が多い場合には屋内への避難やマスク着用といった防御行動を起こすことが可能となる。また、飛散量が少ないのであれば過剰な防御行動をしないという判断が可能となる。
【発明を実施するための最良の形態】
【０００６】この発明の一実施形態を、図１に示す。
花粉情報を所有する施設から送られたリアルタイム花粉飛散情報はＦＭ多重放送が可能なラジオ局へ送られ、そこで電波に変換して放送される。受信装置はこの電波を受信し表示部に地図上に表す形で花粉飛散状況を表示する。メッセージ表示部を設けて花粉警報を表示させたり、スポンサー企業の広告を表示させる。受信装置としては設置型の受信装置の他に携帯型の受信装置がある。既存の携帯電話やカーナビにこの機能を盛り込んだ装置も受信可能となる。なお、花粉飛散情報がないオフシーズンでも使えるように天気気温情報をあわせて放送する。【０００７】「実施形態の効果」
この実施形態によれば、既存のＦＭ多重放送を利用することでインフラへの投資が最小限ですませることができる。受信装置を公共の施設や学校などに設置し、花粉飛散が多いときには屋外活動を控える行動がとれる。個人レベルでは家庭に設置したり、携帯型の装置を持ち歩くことで、外出の予定を立てたり外出先でも常に最新の情報を確認することが出来る。結果として、花粉にさらされる機会が減ることになりアレルギーの発症を未然に防ぎ、すでに発症している人では症状を緩和させることが可能となる。
【産業上の利用可能性】
【０００８】本システムが稼動されれば、いろいろな種類の装置が産業上利用可能となる。専用受信表示装置以外にも、花粉情報表示機能付き壁掛け時計、花粉情報表示機能付き携帯電話、花粉情報表示機能付きカーナビなどがあげられる。
【図面の簡単な説明】
【０００９】
【図１】この発明の一実施形態を示す図である。
【符号の説明】
【００１０】    １  花粉情報センター
２  ＦＭラジオ放送局
３  花粉飛散情報受信装置
４  花粉情報表示機能付き携帯電話
５  花粉情報表示機能付きカーナビ
６  有線花粉情報データ
７  無線花粉情報データ
【図１】
2008259149.tif 000003
(57)【要約】【課題】従来のリニアモーターは、直線型であった。そして、応用範囲がせまかった。これは、リニアモーターに対する意識が、やや希薄であったためである。【解決手段】２次元３次元曲線上両側に沿って、電磁石をＮ極Ｓ極に交互に置くか、軌道内に電磁石を置いて、電流を切り換えながら、あるいは、正方向あるいは逆方向に回転または往復させる。これにより、様々のことができ、応用度の高いリニアモーターを提供できる。【選択図】なし【特許請求の範囲】
【請求項１】
１次元２次元３次元で展開できる電磁石による直線及び曲線型の外形を持つサーキットリニアモーター。
【発明の詳細な説明】
【技術分野】
【０００１】  本発明は、未知応用の広い直線及び曲線型リニアモーターに関する。
【背景技術】
【０００２】  従来のリニアモーターは、１次元直線型で、応用範囲が比較的せまい。（例えば、非特許文献１参照。）
【非特許文献１】新星出版社編集部編著、「電気のしくみ」新星出版、２００５年１０月２５日発行、ｐ８〜９．
【発明の開示】
【発明が解決しようとする課題】
【０００３】  以上に述べた従来のリニアモーターは１次元直線型で、比較的応用範囲がせまいものであった。【０００４】  本発明は、このような従来の構成が有していた問題を解決しようとするものであり、２次元３次元の未知応用の広い曲線型にすることで、同時に小さいものから大きなものまで実現でき、曲線型であるから多様な２次元曲線３次元空間曲線型を有するリニアモーター装置を実現することを目的とするものである。
【課題を解決するための手段】
【０００５】  そして、本発明は上記目的を達成するために、軌道両側に電磁石をそれぞれＮ極Ｓ極とを交互に置き、軌道内の可動運動体にも電磁石をそれぞれＮ極Ｓ極とを交互に置き、軌道外両側のＮ極Ｓ極とも固定させ軌道内の運動体のＮ極Ｓ極を交互に電流の方向切換により入れ換える方法と軌道外両側のＮ極Ｓ極を交互に電流の方向を変えることにより、（この場合、軌道内運動体のＮ極Ｓ極は固定されている。）運動体を運動させる方法を用いる。それぞれ２次元３次元曲線に沿って配置するものである。
【発明の効果】
【０００６】  上述したように、本発明の曲線型リニアモーターは、２次元３次元へと拡張でき、極小のものから極大のものが構成でき、速度も低速から高速が構成でき、また、複線や運動体自身がふつうのモーターであれば、その運動体モーターが回転しながら、また曲線上を走るサーキットモーターモーターをも構成でき、あらゆるものを移動させたり運んだりさせることができる応用の広いリニアモーターを提供できる。
【発明の実施するための最良の形態】
【０００７】  以下、本発明の実施の形態を図１〜図５に基づいて説明する。
【０００８】  図においては、２次元曲線、閉曲線、円、３次元曲線、直線複線、等が実施できる。
【産業上の利用可能性】
【０００９】  本発明による１次元２次元３次元サーキットリニアモーターは、直線、曲線は、もちろん、極小のものから極大のもの、最短のものから最長のものも、低速のものも高速のものも構成でき、例えば、軌道を走る運動体に通常のモーターを採用すると、そのモーターが、何か、例えば、ファンを回わしながら、同時に曲線上をあるいは、正方向にあるいは、負方向へ移動運搬させるサーキットリニアモーターモーターをも構成できる。また、円形にすると、例えば、洗濯機の回転ドラムを構成できる。また極大の安全なものでは、例えば、遊園地において、３次元空間曲線上を周遊や往復する遊具ができる。また、サーキットリニアモーターモーターを用いると、より様々な利用可能性が広がる。
【図面の簡単な説明】
【００１０】
【図１】本発明の実施形態を示す曲線リニアモーターの抽象図
【図２】同閉曲線型の図、サーキットリニアモーターモーターの図
【図３】同円型の図
【図４】同３次元曲線型の図
【図５】同直線型複線型の抽象図
【図１】
2008259391.tif 000002
【図２】
2008259391.tif 000003
【図３】
2008259391.tif 000004
【図４】
2008259391.tif 000005
【図５】
2008259391.tif 000006